(57)【要約】      （修正有）【課題】様々なシチュエーションで気軽にかつ簡単に手相を観て占い、コミュニケーションツールとして最適な占い装置を提供する。【解決手段】占い装置１００は、電源１と、電源１により光を発する光源２と、画像が担持されたフィルム３と、光源２からの光がフィルム３を透過して、画像に対応する光像を対象物に投影するレンズ４と、を備える。前記画像は、手のひらの模範の相と、模範の相を対象物に位置合わせするためのガイド線と、を有する。【選択図】図３
0003153964.tif 000002
【実用新案登録請求の範囲】
【請求項１】
電源と、
前記電源により光を発する光源と、
画像が担持されたフィルムと、
前記光源からの光が前記フィルムを透過して、前記画像に対応する光像を対象物に投影するレンズと、を備え、
前記画像は、手のひらの模範の相と、前記模範の相を前記対象物に位置合わせするためのガイド線と、を有することを特徴とする占い装置。
【請求項２】
前記模範の相には、手のひらに刻まれた皺を含むことを特徴とする請求項１に記載の占い装置。
【請求項３】
前記皺は、前記ガイド線と区別し得る態様で示されていることを特徴とする請求項２に記載の占い装置。
【請求項４】
前記皺及び前記ガイド線は、異なる線の種類で示されていることを特徴とする請求項３に記載の占い装置。
【請求項５】
前記皺及び前記ガイド線は、太さの異なる線で示されていることを特徴とする請求項４に記載の占い装置。
【請求項６】
前記皺及び前記ガイド線は、色の異なる線で示されていることを特徴とする請求項４に記載の占い装置。
【請求項７】
前記皺には、手相の線名が付加されていることを特徴とする請求項２〜６のいずれか一項に記載の占い装置。
【請求項８】
前記模範の相について解説がなされた付属物を備えることを特徴とする請求項１〜７のいずれか一項に記載の占い装置。
【請求項９】
前記電源、前記光源、前記フィルム及び前記レンズが筒状ケース内に収納されていることを特徴とする請求項１〜８のいずれか一項に記載の占い装置。
【考案の詳細な説明】
【技術分野】
【０００１】
本考案は、占い装置に関する。
【背景技術】
【０００２】
従来より、手相は占い師に直接観てもらうか、コンピュータを用いて行うことが一般的である。しかしながら、占い師に観てもらったりコンピュータで占うのはコストや手間がかかる。また、占いゲーム装置として、手相や人相を画像として取り込み、取り込んだ画像から占いに必要な特徴量を抽出及び解析して自動的に占う装置が知られている（例えば、特許文献１参照）。
【先行技術文献】
【特許文献】
【０００３】
【特許文献１】特開平８−３０９０３３号公報
【考案の概要】
【考案が解決しようとする課題】
【０００４】
しかしながら、上記占いゲーム装置の場合、自動的に手相を判断して占いが行われるので、例えば学校や職場、宴会などの場で他人の手相を直接観たり、その場の多くの人に手相を解説したりするなど、占い師のまねごとをするには不向きである。また、上記占いゲーム装置は、ある程度重さもあり持ち運びに不便であった。
そこで、手相学の本などから手相の知識を得て占う必要があるが、手相は生命線、感情線、頭脳線、運命線、結婚線等、多数の線があり、それらの線の位置や形状、長さ等で判断するため、覚えるのは非常に複雑で困難である。
本考案は、上記事情に鑑みてなされたもので、様々なシチュエーションで気軽にかつ簡単に手相を観て占い、コミュニケーションツールとして最適な占い装置を提供することを目的としている。
【課題を解決するための手段】
【０００５】
上記課題を解決するため、請求項１の考案は、占い装置において、
電源と、
前記電源により光を発する光源と、
画像が担持されたフィルムと、
前記光源からの光が前記フィルムを透過して、前記画像に対応する光像を対象物に投影するレンズと、を備え、
前記画像は、手のひらの模範の相と、前記模範の相を前記対象物に位置合わせするためのガイド線と、を有することを特徴とする。
【０００６】
請求項２の考案は、請求項１に記載の占い装置において、
前記模範の相には、手のひらに刻まれた皺を含むことを特徴とする。
【０００７】
請求項３の考案は、請求項２に記載の占い装置において、
前記皺は、前記ガイド線と区別し得る態様で示されていることを特徴とする。
【０００８】
請求項４の考案は、請求項３に記載の占い装置において、
前記皺及び前記ガイド線は、異なる線の種類で示されていることを特徴とする。
【０００９】
請求項５の考案は、請求項４に記載の占い装置において。
前記皺及び前記ガイド線は、太さの異なる線で示されていることを特徴とする。
【００１０】
請求項６の考案は、請求項４に記載の占い装置において、
前記皺及び前記ガイド線は、色の異なる線で示されていることを特徴とする。
【００１１】
請求項７の考案は、請求項２〜６のいずれか一項に記載の占い装置において、
前記皺には、手相の線名が付加されていることを特徴とする。
【００１２】
請求項８の考案は、請求項１〜７のいずれか一項に記載の占い装置において、
前記模範の相について解説がなされた付属物を備えることを特徴とする。
【００１３】
請求項９の考案は、請求項１〜８のいずれか一項に記載の占い装置において、
前記電源、前記光源、前記フィルム及び前記レンズが筒状ケース内に収納されていることを特徴とする。
【考案の効果】
【００１４】
本考案によれば、電源と、光源と、フィルムと、レンズとを備え、フィルムに担持された画像は、手のひらの模範の相と、ガイド線とを有するので、電源をＯＮにすることで、光源からの光がフィルムを透過して、フィルムの画像が光像として対象物に投影される。
このように光を対象物に投影するだけで、利用者の手のひらの相と、投影された模範の相とを比較して、気軽にかつ簡単に手相を観て占うことができる。その結果、様々なシチュエーションで利用でき、コミュニケーションツールとしても最適となる。
また、ガイド線に沿って対象物の位置合わせをすることで、より正確に手相を判断することができる。
【図面の簡単な説明】
【００１５】
【図１】占い装置の一使用例を示した外観斜視図である。
【図２】(a)は、占い装置の外観斜視図、(b)は、占い装置に付属された解説カードの外観斜視図である。
【図３】(a)は、図２(a)における側断面図、(b)は、図２(a)における平断面図である。
【図４】画像が印刷されたフィルムの一例を示した図である。
【考案を実施するための形態】
【００１６】
以下、本考案の実施形態について図面を参照しながら説明する。
図１は、占い装置の一使用例を示した外観斜視図である。
占い装置１００は、例えば手相を判断する利用者の手のひらＨに、手のひらの模範の相４１を投影して、利用者の手のひらＨの相と投影された模範の相４１とを比較することで占うことのできる装置である。以下の説明では利用者の手のひらＨに光像を投影して手相を判断する場合について説明する。
【００１７】
図２(a)は、占い装置の外観斜視図、図２(b)は、占い装置に付属された解説カードの外観斜視図、図３(a)は、図２(a)における側断面図、図３(b)は、図２(a)における平断面図である。
占い装置１００は、電源１と、電源１により光を発する光源２と、画像が担持されたフィルム３と、光源２からの光がフィルム３を透過してフィルム３の画像に対応する光像を利用者の手のひらＨに投影するレンズ４と、を備えている。これら電源１、光源２、フィルム３及びレンズ４はケース５内に、その基端部５a側から先端部５b側に向かって順番に収納保持されている。
【００１８】
ケース５は円筒状をなしている。電源１が収納されたケース５の基端部５aには、その外周面の一部が切り欠かれている。この切欠部を介して電源１の出し入れが行われるようになっている。また、切欠部には収納された電源１を覆うためのカバー６が着脱自在に設けられている。
電源１としては、例えば、乾電池や充電池等を使用することができる。ケース５の外周面には、電源１のＯＮ／ＯＦＦを行う電源ボタン７が露出している。
光源２は、電源ボタン７を介して電源１に電気的に接続されている。光源２としては、例えば発光ダイオードや豆電球等を使用することができる。発光ダイオードとしては白色光を発光するものであることが好ましい。発光ダイオードの数は複数であっても良い。
レンズ３としては、例えば、光源２からの光を集める集光レンズ等を使用することができる。また、焦点距離が２０〜３０ｃｍ程度や手のひらＨやテーブルの上面に投影できる程度のレンズが好ましい。レンズ３の前面は、ケース５の先端部５bに形成された開口部５cから露出しており、レンズ３に集光した光を利用者の手のひらＨ等に投影できるようになっている。
【００１９】
図４は、画像が印刷されたフィルムの一例を示した図である。
フィルム３に印刷された画像には、手のひらの模範の相４１と、対象物（利用者の手のひらＨ）に対して位置合わせするためのガイド線４２が含まれている。
具体的に、手のひらの模範の相４１とは、手のひらに刻まれた皺（線）、ほくろ、丘等が挙げられる。
皺としては、例えば、生命線４１a、運命線４１b、頭脳線４１c、感情線４１dといった手相の４大基本線や、その他、人気線、太陽線、結婚線、財運線、健康線、金星環等が挙げられる。図４では、４大基本線４１a〜４１d及び人気線４１eを図示している。
丘は、手のひらのふっくらとした肉づきの部分を言い、丘には木星丘、土星丘、太陽丘、水星丘、金星丘等が挙げられる。
ガイド線４２とは、手の一部の外形や、基本の皺（指の付け根部分の線、４大基本線等）である。図４では、小指と親指から手首側に延びる外形４２a、各指の付け根部分の外形４２aや、各指の付け根部分の皺（線）４２bがガイド線４２となっている。
フィルム４に印刷された皺４１（生命線４１a、運命線４１b、頭脳線４１c、感情線４１d、人気線４１e等）は、ガイド線４２と区別し得る態様で示されている。例えば皺４１とガイド線４２とは、異なる線の種類で示すことが好ましい。図４では、皺４１をガイド線４２よりも太く示している。また、皺４１とガイド線４２とは、互いに色の異なる線で示しても良いし、実線や破線、一点鎖線といった異なる線の種類で示しても良い。さらに、皺４１には、手相の線名、例えば生命線、運命線、頭脳線、感情線、人気線、結婚線、財運線、健康線等の名称や記号、番号等が付加されていることが好ましい。
【００２０】
また、図２に示すように、ケース５の基端部５aには、ストラップ８を取り付けるための取付部５dが設けられている。
このような占い装置１００には、図２(b)に示すような模範の相４１に関する解説が付された解説カード９や解説本、折り畳み式の解説書等を付属させることが好ましい。このような解説には、例えば、人気線の説明（異性から関心をもたれる魅力的な人にあらわれる線）や、模範的な人気線との比較・評価（模範的な人気線の長さよりも長い場合、複数本ある場合、人気線が無い場合）、人気線の良い点及び悪い点等が記載されている。
【００２１】
次に、占い装置１００の使用例について説明する。
図１に示すように、電源ボタン７をＯＮとして、対象物である手のひらＨに向けて光を照射する。これによって手のひらＨに、フィルム３に印刷された模範の相４１及びガイド線４２が投影される。このとき、ガイド線４２を手のひらＨの対応する箇所にそれぞれ位置合わせをする。位置合わせをしたら、投影された模範の相４１と利用者の手のひらＨについて皺の位置や形状、長さ等を比較して判断する。解説は解説カード９等を参照しながら説明することが好ましい。
【００２２】
以上、本考案の実施形態によれば、電源１と、光源２と、フィルム３と、レンズ４とを備え、フィルム３に担持された画像は、手のひらの模範の相４１と、ガイド線４２とを有するので、電源１をＯＮにすることで、光源２からの光がフィルム３を透過して、フィルム３の画像が光像として対象物（利用者の手のひらＨ）に投影される。そして、判断したい利用者の手のひらＨの相と、投影された模範の相４１とを比較することで、気軽にかつ簡単に手相を観て占うことができる。その結果、様々なシチュエーションで利用でき、コミュニケーションツールとしても最適となる。また、ガイド線４２に沿って利用者の手のひらＨの位置合わせをすることで、より正確に手相を判断することができる。
さらに、フィルム３に印刷された皺４１a〜４１dはガイド線４２と区別し得る態様で示されているので、皺４１a〜４１dとガイド線４２とを容易に見分けることができる。そのため、利用者の手のひらＨとガイド線４２との位置合わせや、皺４１a〜４１dと利用者の手相との比較が簡単になる。
電源１、光源２、フィルム３及びレンズ４が筒状ケース５内に収納された構成であるので、単純な構成で、軽量化でき、持ち運びに便利である。
【００２３】
なお、本考案は上記実施形態に限定されるものではなく、その要旨を逸脱しない範囲で適宜変更可能である。
例えば、上記実施形態では、利用者の手のひらＨに光像を投影して占う場合に適用したが、これに限らず例えばテーブルの上面や壁、スクリーン等に投影するようにしても良い。このようにテーブルの上面や壁、スクリーン等に投影することによって、その場にいる多数の人に一度に手相の解説を行うことができる。なお、この場合、ズーム機構を設けることが好ましい。
また、上記実施形態では４大基本線（４１a〜４１d）の画像が担持された１枚のフィルム３のみを投影するように構成したが、例えば恋愛運編、仕事運編、金運編等の様々なパターンに応じた画像が担持された複数のフィルムをケース内に収納しておき、これらのフィルムをスイッチ等で切り換える切換機構を設けて、切換機構で適宜切り換えて各パターンの光像を投影するようにしても良い。
さらに、上記実施形態では円筒状のケース５を使用してペン型の占い装置１００としたが、これに限らず箱状にする等、携帯に便利な形状に適宜変更可能である。
【符号の説明】
【００２４】
１  電源
２  光源
３  フィルム
４  レンズ
５  ケース
９  解説カード（付属物）
４１  模範の相
４１a  生命線（皺）
４１b  運命線（皺）
４１c  頭脳線（皺）
４１d  感情線（皺）
４１e  人気線（皺）
４２  ガイド線
１００  占い装置
Ｈ  手のひら（対象物）
【図１】
0003153964.tif 000003
【図２】
0003153964.tif 000004
【図３】
0003153964.tif 000005
【図４】
0003153964.tif 000006